(57)【要約】【課題】  入手したクーポンをすぐに使いたい顧客と、再来店を促進してリピート率を向上させたい店舗側の両方の要望を満足させることができるクーポン付ラベルを提供する。【解決手段】  裏面に接着面を有し、表面に商品の商品関連情報及びクーポン情報が表示されているクーポン付ラベルに、商品販売日（買い物当日）に使用可能なクーポン情報と、販売日の翌日以降にのみ使用可能なクーポン情報とを組み合わせて表示する。また、販売日当日に使用可能なクーポン情報よりも、翌日以降にのみ使用可能なクーポン情報の値引額を大きくして、商品の購入を翌日以降に持ち越させて、リピート率のさらなる向上を図る。【選択図】図５
2006244021.tif 000002
【特許請求の範囲】
【請求項１】
裏面に接着面を有し、表面に商品関連情報及びクーポン情報が表示されているクーポン付ラベルであって、
前記表面には、使用可能期間の異なる複数のクーポン情報が表示されていることを特徴とするクーポン付ラベル。
【請求項２】
裏面に接着面を有して商品に貼付される貼付部と、該貼付部に連結された状態で形成されて前記商品に貼付されない非貼付部と、を備えてなり、
前記貼付部の表面に前記商品の商品関連情報が表示されており、前記非貼付部にクーポン情報が表示されているクーポン付ラベルであって、
前記非貼付部には、使用可能期間が異なる複数のクーポン情報が表示されていることを特徴とするクーポン付ラベル。
【請求項３】
請求項２に記載のクーポン付ラベルであって、
前記貼付部と前記非貼付部は、切り離し可能に連結されていることを特徴とするクーポン付ラベル。
【請求項４】
請求項１乃至３のいずれかに記載のクーポン付ラベルであって、
前記非貼付部の表面と裏面に異なるクーポン情報が表示されていることを特徴とするクーポン付ラベル。
【請求項５】
請求項１乃至４のいずれかに記載のクーポン付ラベルであって、
前記商品の販売日に使用可能なクーポン情報と、前記販売日の翌日以降にのみ使用可能なクーポン情報と、が表示されていることを特徴とするクーポン付ラベル。
【請求項６】
請求項１乃至５のいずれかに記載のクーポン付ラベルであって、
前記複数のクーポン情報の中に、優待内容が相互に異なるクーポン情報が含まれていることを特徴とするクーポン付ラベル。
【請求項７】
請求項１乃至６のいずれかに記載のクーポン付ラベルであって、
前記商品関連情報及び前記クーポン情報は、前記商品を販売する店舗で印字されることを特徴とするクーポン付ラベル。
【請求項８】
請求項１乃至６のいずれかに記載のクーポン付ラベルであって、
前記商品関連情報は、その全部又は一部がラベル用紙に事前印刷されており、前記クーポン情報は、前記商品を販売する店舗で前記ラベル用紙に印字されることを特徴とするクーポン付ラベル。
【請求項９】
請求項１乃至６のいずれかに記載のクーポン付ラベルであって、
ラベル用紙には、前記複数のクーポン情報の全部又は一部が事前印刷されていることを特徴とするクーポン付ラベル。
【請求項１０】
請求項１乃至９のいずれかに記載のクーポン付ラベルであって、
前記各クーポン情報には、他のクーポン情報と異なるバーコード情報が含まれていることを特徴とするクーポン付ラベル。
【請求項１１】
請求項１乃至１０のいずれかに記載のクーポン付ラベルであって、
前記複数のクーポン情報の中に、使用可能となる時間帯を特定したクーポン情報が含まれていることを特徴とするクーポン付ラベル。
【請求項１２】
商品代金を精算する際にレシートと同時に発行されるクーポンカードであって、
使用可能期間が異なる複数のクーポン情報が表示されていることを特徴とするクーポンカード。
【請求項１３】
請求項１２に記載のクーポンカードであって、
前記レシートと一体に形成されていることを特徴とするクーポンカード。
【請求項１４】
請求項１３に記載のクーポンカードであって、
前記複数のクーポン情報の一部又は全部が、前記レシート裏面に表示されていることを特徴とするクーポンカード。
【請求項１５】
来店を機械登録した顧客に対して発行されるクーポンカードであって、
使用可能期間が異なる複数のクーポン情報が表示されていることを特徴とするクーポンカード。
【請求項１６】
請求項１２乃至１５のいずれかに記載のクーポンカードであって、
発行日に使用可能なクーポン情報と、前記発行日の翌日以降にのみ使用可能なクーポン情報と、が表示されていることを特徴とするクーポンカード。
【請求項１７】
請求項１２乃至１６のいずれかに記載のクーポンカードであって、
前記各クーポン情報には、他のクーポン情報と異なるバーコード情報が含まれていることを特徴とするクーポンカード。
【請求項１８】
顧客が携帯しており、来店時にクーポン情報を記録できるクーポンカードであって、
使用可能期間が異なる複数のクーポン情報を記録できることを特徴とするクーポンカード。
【請求項１９】
請求項１８に記載のクーポンカードであって、
記録日に使用可能なクーポン情報と、前記記録日の翌日以降にのみ使用可能なクーポン情報とを、記録できることを特徴とするクーポンカード。
【請求項２０】
請求項１２乃至１９のいずれかに記載のクーポンカードであって、
前記複数のクーポン情報の中に、優待内容が相互に異なるクーポン情報が含まれていることを特徴とするクーポンカード。
【請求項２１】
請求項１２乃至２０のいずれかに記載のクーポンカードであって、
前記複数のクーポン情報の中に、使用可能となる時間帯を特定したクーポン情報が含まれていることを特徴とするクーポンカード。
【請求項２２】
クーポン情報に含まれる使用可能期間が異なる複数のクーポンを同時に発行できることを特徴とするクーポン発行装置。
【請求項２３】
請求項２２に記載のクーポン発行装置であって、
当日に使用可能なクーポン情報が表示された第一クーポンと、翌日以降にのみ使用可能なクーポン情報が表示された第二クーポンと、を発行できることを特徴とするクーポン発行装置。
【請求項２４】
請求項２２又は２３に記載のクーポン発行装置であって、
前記複数のクーポン情報の中に、優待内容が相互に異なるクーポン情報を含ませられることを特徴とするクーポン発行装置。
【請求項２５】
請求項２２乃至２４のいずれかに記載のクーポン発行装置であって、
前記各クーポン情報に、他のクーポン情報と異なるバーコード情報が含ませられることを特徴とするクーポン発行装置。
【請求項２６】
請求項２２乃至２５のいずれかに記載のクーポン発行装置であって、
前記複数のクーポン情報の中に、使用可能となる時間帯を特定したクーポン情報を含ませられることを特徴とするクーポン発行装置。
【請求項２７】
請求項２２乃至２６のいずれかに記載のクーポン発行装置を備えるラベルプリンタであって、
ラベル貼付対象となる商品の商品関連情報と複数のクーポン情報とを表示したクーポン付ラベルを発行できることを特徴とするラベルプリンタ。
【請求項２８】
請求項２７に記載のラベルプリンタであって、
これに内蔵又は接続される記憶装置に記憶される商品マスターテーブル及びクーポン情報テーブルがリンクされており、
ラベル貼付対象となる商品を決定されることにより、発行するラベルに表示される複数のクーポン情報を自動的に設定することを特徴とするラベルプリンタ。
【請求項２９】
請求項２２乃至２６のいずれかに記載のクーポン発行装置を備えるレジスターであって、
レシートとともに使用可能期間が異なる複数のクーポンを発行できることを特徴とするレジスター。
【請求項３０】
請求項２９に記載のレジスターであって、
前記複数のクーポンを前記レシートと一体に形成することを特徴とするレジスター。
【請求項３１】
請求項２９又は３０に記載のレジスターであって、
顧客カードを読み取ることで顧客を特定し、該顧客の購入履歴情報をもとに、事前登録されたクーポン発行予定商品の中から該顧客が最も多く購入している商品を選択し、
該選択された商品のクーポン情報を翌日以降にのみ使用できるクーポンとすることを特徴とするレジスター。
【発明の詳細な説明】
【技術分野】
【０００１】
本発明は、商品割引等の優待を受けられるクーポンを付加したクーポン付ラベル及びクーポンカード、クーポンを発行するクーポン発行装置、並びにクーポン発行装置を備えるラベルプリンタ及びレジスターに関する。
【背景技術】
【０００２】
従来、スーパーマーケット等における商品購入者へのサービスとして、商品に貼付されるラベルや商品代金のレシートに、買物代金の割引や商品引換等の優待を受けられるクーポンを付加することが提案されている（例えば、特許文献１参照。）。
【０００３】
上記のようなクーポンとしては、商品購入当日に使用可能なものと、商品購入日の翌日以降にのみ使用可能なものがある。前者は、すぐに優待を受けられることから、顧客にとって大いにメリットがあり、後者は、翌日以降における顧客の再来店を促進できることから、店舗側にとって大いにメリットがある。
【特許文献１】特許第３２９６６２１号公報
【発明の開示】
【発明が解決しようとする課題】
【０００４】
その一方で、商品購入当日に使用可能なクーポンは、顧客の再来店の促進に直接結びつかないという点で店舗側のメリットが少なく、来店日の翌日以降にのみ使用可能なクーポンは、来店当日に使用することができないという点で顧客側のメリットが少ないという欠点がある。
【０００５】
その他、店舗側の思惑によって、来客の少ない特定曜日のみに使用可能としたクーポンや、来客を増やしたい特定期間のみに使用可能としたクーポンを発行する場合があるが、特定曜日や特定期間に買い物に出かけられない顧客にとってはメリットがなく、これらの顧客に対しては再来店を促進する効果を発揮することができないという欠点がある。
【０００６】
そこで、本発明は、自分の都合に適したタイミングで使えるクーポンを希望する顧客と、リピート率をアップさせたい店舗側の両方の要望を満足させることができる、クーポン付ラベル、クーポンカード、クーポン発行装置、並びにクーポン発行装置を備えるラベルプリンタ及びレジスターを提供する。
【課題を解決するための手段】
【０００７】
請求項１の発明は、裏面に接着面を有し、表面に商品関連情報及びクーポン情報が表示されているクーポン付ラベルであって、
前記表面には、使用可能期間の異なる複数のクーポン情報が表示されていることを特徴とするクーポン付ラベルを提供する。
【０００８】
なお、ここで、本請求項及び他の請求項における「使用可能期間が異なる」には、各クーポン情報の使用可能期間が一部重複する場合を含むものとする。例えば、使用可能期間が発行日から３日以内であるクーポン情報と、使用可能期間が発行日から１月以内であるクーポン情報と、が組み合わせられている場合も使用可能期間が異なる複数のクーポン情報に該当する。また、「使用可能期間の異なる複数のクーポン情報が表示されている」とは、すべてのクーポン情報について使用可能期間が相互に異なる場合のみを意味するものではなく、例えば、３つのクーポン情報が表示されている場合において、そのうちの２つのクーポン情報の使用可能期間が同じで、他の一つのクーポン情報の使用可能期間のみが異なっている等、一部のクーポン情報の使用可能期間が同じである場合も含まれるものとする。
【０００９】
請求項２の発明は、裏面に接着面を有して商品に貼付される貼付部と、該貼付部に連結された状態で形成されて前記商品に貼付されない非貼付部と、を備えてなり、
前記貼付部の表面に前記商品の商品関連情報が表示されており、前記非貼付部にクーポン情報が表示されているクーポン付ラベルであって、
前記非貼付部には、使用可能期間が異なる複数のクーポン情報が表示されていることを特徴とするクーポン付ラベルを特徴とするクーポン付ラベルを提供する。
【００１０】
請求項３の発明は、請求項２に記載のクーポン付ラベルであって、
前記貼付部と前記非貼付部は、切り離し可能に連結されていることを特徴とするクーポン付ラベルを提供する。
【００１１】
請求項４の発明は、請求項１乃至３のいずれかに記載のクーポン付ラベルであって、
前記切離部の表面と裏面に異なるクーポン情報が表示されていることを特徴とするクーポン付ラベルを提供する。
【００１２】
請求項５の発明は、請求項１乃至４のいずれかに記載のクーポン付ラベルであって、
前記商品の販売日に使用可能なクーポン情報と、前記販売日の翌日以降にのみ使用可能なクーポン情報と、が表示されていることを特徴とするクーポン付ラベルを提供する。
【００１３】
請求項６の発明は、請求項１乃至５のいずれかに記載のクーポン付ラベルであって、
前記複数のクーポン情報の中に、優待内容が相互に異なるクーポン情報が含まれていることを特徴とするクーポン付ラベルを提供する。
【００１４】
請求項７の発明は、請求項１乃至６のいずれかに記載のクーポン付ラベルであって、
前記商品関連情報及び前記クーポン情報は、前記商品を販売する店舗で印字されることを特徴とするクーポン付ラベルを提供する。
【００１５】
請求項８の発明は、請求項１乃至６のいずれかに記載のクーポン付ラベルであって、
前記商品関連情報は、その全部又は一部がラベル用紙に事前印刷されており、前記クーポン情報は、前記商品を販売する店舗で前記ラベル用紙に印字されることを特徴とするクーポン付ラベルを提供する。
【００１６】
請求項９の発明は、請求項１乃至６のいずれかに記載のクーポン付ラベルであって、
ラベル用紙には、前記複数のクーポン情報の全部又は一部が事前印刷されていることを特徴とするクーポン付ラベルを提供する。
【００１７】
請求項１０の発明は、請求項１乃至９のいずれかに記載のクーポン付ラベルであって、
前記各クーポン情報には、他のクーポン情報と異なるバーコード情報が含まれていることを特徴とするクーポン付ラベルを提供する。
【００１８】
請求項１１の発明は、請求項１乃至１０のいずれかに記載のクーポン付ラベルであって、
前記複数のクーポン情報の中に、使用可能となる時間帯を特定したクーポン情報が含まれていることを特徴とするクーポン付ラベルを提供する。
【００１９】
請求項１２の発明は、商品代金を精算する際にレシートと同時に発行されるクーポンカードであって、使用可能期間が異なる複数のクーポン情報が表示されていることを特徴とするクーポンカードを提供する。
【００２０】
請求項１３の発明は、請求項１２に記載のクーポンカードであって、前記レシートと一体に形成されていることを特徴とするクーポンカードを提供する。
【００２１】
請求項１４の発明は、請求項１３に記載のクーポンカードであって、前記複数のクーポン情報の一部又は全部が、前記レシート裏面に表示されていることを特徴とするクーポンカードを提供する。
【００２２】
請求項１５の発明は、来店を機械登録した顧客に対して発行されるクーポンカードであって、使用可能期間が異なる複数のクーポン情報が表示されていることを特徴とするクーポンカードを提供する。
【００２３】
請求項１６の発明は、請求項１２乃至１５のいずれかに記載のクーポンカードであって、発行日に使用可能なクーポン情報と、前記発行日の翌日以降にのみ使用可能なクーポン情報と、が表示されていることを特徴とするクーポンカードを提供する。
【００２４】
請求項１７の発明は、請求項１２乃至１６のいずれかに記載のクーポンカードであって、前記各クーポン情報には、他のクーポン情報と異なるバーコード情報が含まれていることを特徴とするクーポンカードを提供する。
【００２５】
請求項１８の発明は、顧客が携帯しており、来店時にクーポン情報を記録できるクーポンカードであって、使用可能期間が異なる複数のクーポン情報を記録できることを特徴とするクーポンカードを提供する。
【００２６】
請求項１９の発明は、請求項１８に記載のクーポンカードであって、記録日に使用可能なクーポン情報と、前記記録日の翌日以降にのみ使用可能なクーポン情報とを、記録できることを特徴とするクーポンカードを提供する。
【００２７】
請求項２０の発明は、請求項１２乃至１９のいずれかに記載のクーポンカードであって、前記複数のクーポン情報の中に、優待内容が相互に異なるクーポン情報が含まれていることを特徴とするクーポンカードを提供する。
【００２８】
請求項２１の発明は、請求項１２乃至２０のいずれかに記載のクーポンカードであって前記複数のクーポン情報の中に、使用可能となる時間帯を特定したクーポン情報が含まれていることを特徴とするクーポンカードを提供する。
【００２９】
請求項２２の発明は、クーポン情報に含まれる使用可能期間が異なる複数のクーポンを同時に発行できることを特徴とするクーポン発行装置を提供する。
【００３０】
請求項２３の発明は、請求項２２に記載のクーポン発行装置であって、当日に使用可能なクーポン情報が表示された第一クーポンと、翌日以降にのみ使用可能なクーポン情報が表示された第二クーポンと、を発行できることを特徴とするクーポン発行装置を提供する。
【００３１】
請求項２４の発明は、請求項２２又は２３に記載のクーポン発行装置であって、前記複数のクーポン情報の中に、優待内容が相互に異なるクーポン情報を含ませられることを特徴とするクーポン発行装置を提供する。
【００３２】
請求項２５の発明は、請求項２２乃至２４のいずれかに記載のクーポン発行装置であって、前記各クーポン情報に、他のクーポン情報と異なるバーコード情報が含ませられることを特徴とするクーポン発行装置を提供する。
【００３３】
請求項２６の発明は、請求項２２乃至２５のいずれかに記載のクーポン発行装置であって、前記複数のクーポン情報の中に、使用可能となる時間帯を特定したクーポン情報を含ませられることを特徴とするクーポン発行装置を提供する。
【００３４】
請求項２７の発明は、請求項２２乃至２６のいずれかに記載のクーポン発行装置を備えるラベルプリンタであって、ラベル貼付対象となる商品の商品関連情報と複数のクーポン情報とを表示したクーポン付ラベルを発行できることを特徴とするラベルプリンタを提供する。
【００３５】
請求項２８の発明は、請求項２７に記載のラベルプリンタであって、これに内蔵又は接続される記憶装置に記憶される商品マスターテーブル及びクーポン情報テーブルがリンクされており、ラベル貼付対象となる商品を決定されることにより、発行するラベルに表示される複数のクーポン情報を自動的に設定することを特徴とするラベルプリンタを提供する。
【００３６】
請求項２９の発明は、請求項２２乃至２６のいずれかに記載のクーポン発行装置を備えるレジスターであって、レシートとともに使用可能期間が異なる複数のクーポンを発行できることを特徴とするレジスターを提供する。
【００３７】
請求項３０の発明は、請求項２９に記載のレジスターであって、前記複数のクーポンを前記レシートと一体に形成することを特徴とするレジスターを提供する。
【００３８】
請求項３１の発明は、請求項２９又は３０に記載のレジスターであって、顧客カードを読み取ることで顧客を特定し、該顧客の購入履歴情報をもとに、事前登録されたクーポン発行予定商品の中から該顧客が最も多く購入している商品を選択し、該選択された商品のクーポン情報を翌日以降にのみ使用できるクーポンとすることを特徴とするレジスターを提供する。
【発明の効果】
【００３９】
請求項１乃至３１に記載の発明によれば、使用可能期間が異なる複数のクーポン情報によって、自分の都合に適したタイミングで使えるクーポンを希望する顧客と、リピート率をアップさせたい店舗側の両方の要望を満足させることができる。すなわち、本発明は、顧客満足度の向上とリピート率の向上を両立させることができるという効果を奏する。
【００４０】
使用可能期間が異なる複数のクーポン情報の具体例としては、請求項５等に記載されるように、販売日（買い物当日）とその翌日以降に使用可能なクーポン情報を組み合わせるもののほか、大売出し日とそれ以外の日にそれぞれ使用可能なクーポン情報を組み合わせて、大売出し日に買い物に行けない顧客と、大売出し日に数多くの顧客の来店を促したい店舗側の両方の要望を満足させるようにしたものや、平日と休日にそれぞれ使用可能なクーポン情報を組み合わせて、休日しか買い物に行けない顧客と、平日の来客数を増やしたい店舗側の両方の要望を満足させるようにしたものが考えられる。
【００４１】
請求項４に記載されるように、商品に貼付されない非貼付部に複数のクーポン情報が表示されるクーポン付ラベルにおいて、非貼付部の表面と裏面に異なるクーポン情報を表示することで、複数のクーポン情報が表示されるにもかかわらず、ラベルを大きくせずに、各クーポン情報について十分な情報量を確保したり、大きく表示したりすることができるという効果を奏する。
【００４２】
請求項５、１６、１９、２３に記載されるように、買い物当日に使用可能なクーポン情報と、翌日以降にのみ使用可能なクーポン情報を組み合わせることで、クーポンをすぐに使いたい顧客と、再来店を促進したい店舗側の両方の要望を満足させることができるという効果を奏する。
【００４３】
請求項６、２０、２４に記載されるように、優待内容が相互に異なるクーポン情報を組み合わせることで、一層の再来店増加を図ることができるという効果を奏する。例えば、同一商品について、買い物当日に割引サービスを受けられるクーポン情報と、翌日以降に割引サービスを受けられるクーポン情報を組み合わせる場合において、買い物当日よりも翌日以降の割引金額を大きくして、当該商品の購入を翌日以降に持ち越させることにより、再来店するように仕向けることが考えられる。
【００４４】
請求項７、８に記載されるクーポン付ラベルのように、クーポン情報を店舗で印字することで、複数のクーポン情報の組合せを自在に変更することができ、ラベル用紙を無駄なく使用できるという効果を奏する。
【００４５】
請求項９に記載されるクーポン付ラベルのように、クーポン情報の全部又は一部を事前印刷することで、クーポン情報に写真を挿入したり、複数のクーポン情報を色違いに表示したりする等、店舗に設置されているラベルプリンタでは対応できないようなデザインを採用して、クーポン対象商品をわかり易く表示したり、複数のクーポン情報を区別し易く表示したりすることができるという効果を奏する。
【００４６】
請求項１０、１７、２５に記載されるように、各クーポン情報に、他のクーポン情報と異なるバーコード情報を含ませることで、使用可能期間以外のクーポン情報を適用する等の誤りを防止するという効果を奏する。
【００４７】
請求項１１、２１、２６に記載されるように、使用可能となる時間帯を特定したクーポン情報を含ませることで、再来店の特定時間帯への集中を図ることができるという効果を奏する。例えば、買い物当日に使用可能なクーポン情報については、使用可能となる時間帯を特定せずに利用させる一方、翌日以降にのみ使用可能として再来店を促すためのクーポン情報については、使用可能となる時間帯を顧客の少ない時間帯に特定することが考えられる。また、日付が異なる場合のみならず、時間帯のみを異ならせるようにしても良い例えば、使用可能期間が発行日から５日以内の午前９時〜午前１１時迄であるクーポン情報と、使用可能期間が発行日から５日以内の午後１時〜午後３時迄であるクーポン情報と、組み合わせることが考えられる。
【００４８】
請求項１４に記載されるように、複数のクーポン情報が表示されるクーポンカードを一体に形成したレシートにおいて、クーポン情報の全部又は一部をレシートの裏面に表示することで、複数のクーポン情報が表示されるにもかかわらず、レシート用紙の消費量を増やさずに、各クーポン情報について十分な情報量を確保したり、大きく表示したりすることができるという効果を奏する。
【００４９】
請求項２８に記載されるように、ラベル貼付対象となる商品を決定することによって、複数のクーポン情報が自動的に設定されるようにしておくことで、ラベルを発行する販売担当者の負担を少なくできるという効果を奏する。
【００５０】
請求項３１に記載されるように、顧客の購入回数が多い商品を、翌日以降にのみ使用可能なクーポン情報の対象とするので、再来店することが一層期待できるという効果を奏する。
【発明を実施するための最良の形態】
【００５１】
以下、本発明の実施の形態を、添付図面を参照しながら説明する。
【００５２】
〔本発明の第一の実施形態〕
図１は、本発明の第一の実施形態に係るラベルプリンタ１を示す。ラベルプリンタ１は、主に、顧客の注文に応じて商品を風袋に入れて商品重量を計量し、商品（風袋）にラベルを貼付して販売する対面販売に利用されるものであり、また、クーポン発行装置としての機能を備えており、商品の計量値（正味量）、単価並びにこれらから算出される価格、品名、消費期限、格納方法、販売者名、バーコード情報等の商品関連情報、及び使用可能期間が異なる複数のクーポン情報が表示されているクーポン付のラベルＬ（図５参照）を発行する。ラベルプリンタ１は、箱状の本体部１１と、本体部１１の前方側面に設けられるパネル状の操作部１２と、本体部１１の上面側に設けられる計量部１３と、本体部の後部から上方に突出した状態で支持される表示部１４と、操作部１２の側方に設けられる印字部１５と、を有してなる。
【００５３】
操作部１２は、オペレーターがラベルプリンタ１を操作するためのキーや液晶タッチパネル等で構成されており、例えば、ラベル発行対象となる商品を選択するための商品選択キー、選択した商品の商品マスターデータを呼び出すための呼出キー、商品の正味量・価格を確認した後に押す金額確定キー等が備えられている。計量部１３は、計量トレイ１３ａと、その下方に設けられる不図示のロードセルを備えてなり、計量トレイ１３ａに載せられた商品の重量を検出することができる。表示部１４は、本体部１１の前方及び後方に向けられた２枚の液晶表示画面を備えてなり、品名、重量、単価、価格等の商品関連情報、及びクーポン情報を表示することで、ラベル用紙に印字する前に、それらの内容をオペレーター及び顧客が確認できるようになっている。印字部１５は、裏面に接着面を有し、表面に白紙の表示面を有するラベル用紙を長尺台紙に連続的に貼付したラベルロール（不図示）がセットされており、ラベル用紙に上記のような商品関連情報及びクーポン情報を印字して、本体部１１の前面に開口するラベル発行口１５ａから発行する。なお、ラベル用紙には、後述する切取予定線ＣＬ１，ＣＬ２が予め形成されている。
【００５４】
ラベルプリンタ１は、操作部１２、計量部１３、表示部１４、印字部１５のほか、図２に示されるように、ラベルプリンタ１の各部と接続される制御部１６を有している。制御部１６は、ＲＡＭ（読取り書込み記憶装置）１６ａ、ＣＰＵ（中央演算処理装置）１６ｂ、ＲＯＭ（読取り専用記憶装置）１６ｃ、カレンダー時計１６ｄを備えており、商品マスターテーブルＴ１（図３）と、これにリンクされるクーポン情報テーブルＴ２（図４）を記憶している。カレンダー時計１６ｄは、ラベルＬに表示される商品関連情報やクーポン情報のうち、日付に関する情報（消費期限、販売日、クーポンの使用可能期間の起算日等）を決定するために利用される。なお、この実施形態では、クーポン情報の使用可能期間の算定基準日が商品販売日に設定されている。
【００５５】
商品マスターテーブルＴ１には、呼出番号（呼Ｎｏ．）ごとに、品名、産地、単価、バーコード情報等の商品関連情報、及び、所定の商品については商品関連情報とともにラベルＬに印字されるクーポン情報のクーポン番号が格納されている。また、クーポン情報テーブルＴ２には、各クーポン番号に対応して、クーポン情報の内容、例えばクーポンの適用対象となる商品の品名、メーカー、値引額、使用可能期間、正価、バーコード情報等が格納されている。クーポン情報テーブルＴ２は、一枚のラベルＬに複数のクーポン情報を印字することに対応するため、予め複数のクーポン情報、すなわち、第一クーポン情報Ｃ１と第二クーポン情報Ｃ２を組み合わせた状態で格納することにより構成される。なお、クーポン情報にバーコード情報を含めたのは、バーコードリーダーによる読み取りでクーポン内容を確認して、間違った条件（品名、メーカー、値引額、使用可能期間）でクーポンを使用させることを防止するためである。
【００５６】
ここで、各クーポン情報に含まれる第一クーポン情報Ｃ１と第二クーポン情報Ｃ２は、クーポンの適用対象となる商品が共通であるが、使用可能期間と値引額が相互に異なるように設定されている。例えば、図４において、クーポン番号「００１」のクーポン情報の場合、使用可能期間が基準日である商品販売日の「当日限り１日間」で、値引額が「３０円」の第一クーポンＣ１と、使用可能期間が商品販売日の「翌日より３日間」で、値引額が「６０円」の第二クーポンＣ２と、を組み合わせることにより構成されている。なお、使用可能期間と値引額のほか、バーコード情報についても、第一クーポン情報Ｃ１と第二クーポン情報Ｃ２を取り違えて適用することがないように、両者間で異なるものが表示されている。
【００５７】
上記のように構成されるラベルプリンタにおける処理の手順を、図６に示されるフローチャートに従って説明する。オペレーター（販売担当者）が、操作部１２に設けられる商品選択キーを操作して該当商品を選択し、呼出キーを操作すると、制御部１６の商品マスターテーブルＴ１に格納されている該当商品の商品関連情報が読み出される（ステップａ１）。そして、品名や単価等、商品関連情報の一部が、オペレーターによる操作確認のため、表示部１４に表示される（ステップａ２）。また、制御部１６では、商品マスターテーブルＴ１から読み出された商品関連情報にクーポン番号が含まれているか否かが判定される（ステップａ３）。クーポン番号が含まれている場合には、そのクーポン番号に対応するクーポン情報がクーポン情報テーブルＴ２から読み出されて（ステップａ４）、商品関連情報とともに表示部１４に表示される（ステップａ５）。例えば、注文された購入商品が、図３の商品マスターテーブルＴ１に示される呼出番号「１０１」の「すき焼き用牛肉」である場合、この商品関連情報にはクーポン番号「００１」が含まれているため、クーポン情報テーブルＴ２からクーポン番号「００１」の「すき焼き用たれ」に関するクーポン情報が読み出されて表示される。
【００５８】
さらに、オペレーターが、顧客から注文された商品を取り出して風袋に入れ、計量トレイ１３ａに載せると、計量部１３によって検出された商品の計量値（正味量）が制御部１６に読み込まれ（ステップａ６）、すでに商品マスターテーブルＴ１から読み出された商品の単価を乗じることにより価格が計算され（ステップａ７）、表示部１４に表示される（ステップａ８）。オペレーターが、表示された正味量・価格について顧客の了承を得た後で、金額確定キーを押すことにより金額が確定する（ステップａ９）が、顧客から商品を増量又は減量するように指示された場合には、計量トレイに載せられた商品の量を加減する。金額が確定して表示内容が決定すれば、予め定められたレイアウトに従って、図５に示されるようなラベルＬが印字発行され（ステップａ１０）、ラベルプリンタ１による処理が終了する。オペレーターは、商品（商品が入れられた風袋）に、ラベルＬを貼付して顧客へ引き渡し、直接代金を受け取るか、顧客にレジでの精算を依頼する。なお、ここでは、顧客の注文に応じて商品を風袋に入れて計量を行い、その都度ラベルＬを発行して貼付する対面販売形式の例について説明したが、店舗側で適当量の商品を風袋に取り分けて計量を行い、発行したラベルＬを予め貼付して店頭で陳列販売するような場合に適用しても差し支えないことは勿論である。
【００５９】
図５に示されるラベルＬは、裏面に接着面を有して商品に貼付される貼付部Ｌ1（図中における一点鎖線の左側）と、裏面に接着面を有しておらず商品に貼付されない非貼付部Ｌ２（図中における一点鎖線の右側）と、を連結することにより形成されている。貼付部Ｌ１の表面にはラベル貼付対象となる商品の商品関連情報が表示されており、非貼付部Ｌ２の表面には使用可能期間の異なる複数のクーポン情報が表示される。貼付部Ｌ１と非貼付部Ｌ２、すなわち、商品関連情報とクーポン情報の表示部分とは、ミシン目状の切目で形成された切取予定線ＣＬ１で左右に仕切られており、さらに第一クーポン情報Ｃ１と第二クーポン情報Ｃ２の表示部分もミシン目状の切目で形成された切取予定線ＣＬ２で上下に仕切られている。
【００６０】
〔上記第一の実施形態に係るラベルプリンタ及びクーポン付きラベルの特徴点〕
上記第一の実施形態に係るラベルプリンタ１及びクーポン付きのラベルＬは、以下のような特徴点を有している。
【００６１】
第一に、商品に貼付するラベルＬを発行するラベルプリンタ１が、使用可能期間が異なる複数のクーポンを同時に発行できるクーポン発行装置を備え、その複数のクーポンをラベルＬに付加できるようにしたので、自分に適したタイミングで使えるクーポンを希望する商品の購入顧客と、リピート率をアップさせたい店舗側の両方の要望を満足させることができるという特徴点を有している。
【００６２】
第二に、商品販売日（買い物当日）に使用可能な第一クーポン情報Ｃ１と、商品販売日の翌日以降にのみ使用可能な第二クーポン情報Ｃ２を組み合わせるようにしたので、入手したクーポンをすぐに使いたい顧客と、再来店を促進してリピート率を向上させたい店舗側の両方の要望を満足させることができるという特徴点を有している。
【００６３】
第三に、同一商品について、買い物当日に値引サービスを受けられる第一クーポン情報Ｃ１と、翌日以降に値引サービスを受けられる第二クーポン情報Ｃ２を組み合わせて、翌日以降の値引額を６０円として、買い物当日の値引額の３０円よりも大きくしたので、クーポン対象商品の購入を翌日以降に持ち越させて、顧客が再来店するように仕向けることが図られるという特徴点を有している。
【００６４】
第四に、クーポン情報を店舗で印字するようにしたので、顧客の再来店状況、クーポン利用状況、顧客におけるクーポンサービスに対する評判等の事情に応じて、例えば、第一クーポン情報Ｃ１と第二クーポン情報Ｃ２とで値引額の差を変えたり、値引対象商品を変えたりする等、第一クーポン情報Ｃ１と第二クーポン情報Ｃ２の組み合わせを自在に変更でき、また、ラベル用紙を無駄なく使い切ることができるという特徴点を有している。
【００６５】
第五に、裏面に接着面を有する貼付部Ｌ１に商品関連情報を表示させ、裏面に接着面を有しない非貼付部Ｌ２に使用可能期間の異なる複数のクーポン情報を表示させるようにしたので、商品（風袋）から、ラベルＬを剥がしたりしなくてもクーポン情報の表示部分である非貼付部Ｌ２のみを容易に切り取ることができ、しかも、貼付部Ｌ１と非貼付部Ｌ２は、ミシン目状の切目からなる切取予定線ＣＬ１により切り離し可能に連結されているので、はさみ等を使用しなくてもクーポンを容易に切り離せるという特徴点を有している。さらに各クーポン情報の表示部分の間には、ミシン目状の切目からなる切取予定線ＣＬ２が形成されており、クーポン同士を切り離すことが容易で、特に買い物当日に使用できる第一クーポン情報Ｃ１の表示部分を、その場で切り離して使用できるようになる。
【００６６】
第六に、第一クーポン情報Ｃ１と第二クーポン情報Ｃ２（複数のクーポン情報）に相互に異なるバーコード情報を含ませるようにしたので、店舗のレジスター等に設けられるバーコードリーダーによる読取でクーポン情報の内容を確認することができ、各クーポン情報を取り違えたり、使用可能期間外のクーポン情報を適用したりする等の誤りを防止することができるという特徴点を有している。
【００６７】
第七に、ラベル貼付対象となる商品を決定すると、そのラベルに表示される複数のクーポン情報が自動的に設定されるように、商品マスターテーブルＴ１とクーポン情報テーブルＴ２がリンクされているので、クーポン情報を付加することについて、オペレーターに何ら負担が課されることがなく、また、オペレーターが交替することによって付加するクーポン情報の内容が著しく異なるという不都合を避けられるという特徴点を有している。
【００６８】
〔上記第一の実施形態の変形例１〕
上記第一の実施形態では、商品マスターテーブルＴ１には、各商品に対して１つのクーポン番号を格納する一方、クーポン情報テーブルＴ２には、１つのクーポン番号に対して、予め組み合わされた複数のクーポン情報を格納することとした。しかし、図７に示されるように、商品マスターテーブルＴ３において、各商品に対して複数のクーポン番号を格納する一方、図８に示されるように、第一クーポン情報テーブルＴ４及び第二クーポン情報テーブルＴ５に、各クーポン番号に対して１つのクーポン情報のみを格納することにしても良い。例えば、商品マスターテーブルＴ３に格納される呼出番号「１０１」の「すき焼き用牛肉」についてラベルを印字する場合、この商品に対して格納されている第一クーポン番号「００１」と、第二クーポン番号「００３」が読み出される。そして、第一及び第二クーポン情報テーブルＴ４，Ｔ５から、第一クーポン番号「００１」に対応する「すき焼き用たれ」のクーポン情報と、第二クーポン番号「００３」に対応する「カレールー」のクーポン情報とを読み出して、図８に示されるように、第一クーポン情報Ｃ１及び第二クーポン情報Ｃ２として組み合わせるものである。このように構成すれば、少ないデータ量でありながら、第一クーポン情報Ｃ１と第二クーポン情報Ｃ２の組み合わせパターンを数多く格納しておくことができ、また、クーポン情報の組み合わせを、自在に、かつ機動的に変更することができるものである。
【００６９】
〔上記第一の実施形態の変形例２〕
上記第一の実施形態では、各商品に対して設定される第一クーポン情報Ｃ１と第二クーポン情報Ｃ２の組み合わせは、１パターンに定められていたが、例えば、図９のクーポン情報テーブルＴ６に示されるように、各商品に対して設定されるクーポン情報の組み合わせを複数パターン（枝番号１〜３）用意しておき、その中から付加するクーポン情報の組み合わせパターンを適宜選択させるようにしても良い。例えば、複数パターンのクーポン情報を表示部１４に表示させて、その中から顧客が希望するものを選択させるようにすることで、店舗側が狙いとするリピート率の向上を図ることができる。また、顧客に対するクーポン対象商品の売れ行き状況や商品納入メーカーの要望等に応じて付加するクーポン情報を自動的に切り替えるようにしても良い。
【００７０】
〔上記第一の実施形態の変形例３〕
上記第一の実施形態では、複数の使用可能期間が異なるクーポン情報は、すべて非貼付部Ｌ２の表面に表示されていたが、非貼付部Ｌ２の表面側と裏面側に使用可能期間が異なるクーポン情報を表示するようにしても良い。例えば、使用可能期間が異なる第一クーポン情報Ｃ１及び第二クーポン情報Ｃ２を備えてなるクーポン付きラベルの場合において、図１０（ａ）に示されるように、非貼付部Ｌ２の表面に第一クーポン情報Ｃ１を表示し、図１０（ｂ）に示されるように、裏面に第二クーポン情報Ｃ２を表示するように構成することが考えられる。このように構成すれば、ラベル面積を大きくすることなく、十分な情報量を有するように、あるいは大きな文字で見易くなるように、各クーポン情報を表示できるものである。また、図１０（ａ）に示されるように、非貼付部Ｌ２の表面に、裏面にもクーポン情報が表示されている旨の注意書きＮ１を表示することで、裏面の第二クーポン情報Ｃ２を見逃さないように顧客に知らせることができる。なお、図１０に示される例では、非貼付部Ｌ２の表面及び裏面にクーポン情報を１つずつ表示させることとしたが、表面及び裏面のそれぞれに、あるいは、いずれかに複数のクーポン情報を表示するようにしても良い。
【００７１】
〔上記第一の実施形態の変形例４〕
上記第一の実施形態では、ラベル用紙の表面全体を白紙として、商品関連情報及びクーポン情報のすべてを、店舗に設置されたラベルプリンタ１で印字することとしたが、例えば、図１１（ａ）に示されるラベルＬのように、商品関連情報の地色が着色され、文字サイズが大きく表示される等、店舗に設置されたラベルプリンタのみでは印字することが困難な場合がある。そこで、図１１（ｂ）に示されるように、商品関連情報をラベル用紙に事前印刷しておくことで、店舗に設置されたラベルプリンタでは印字できないようなデザインや色使いの商品関連情報に対応させることが考えられる。なお、商品関連情報は、そのすべてをラベル用紙に事前印刷しておく必要はなく、図１１（ｃ）に示されるように、一部の情報（例えば、商品の品名、価格）を事前印刷しておき、残りの情報（例えば、バーコード情報）を店舗でのラベル発行時に、その店舗における事情に合わせて、使用可能期間の異なる複数のクーポン情報とともに印字するようにしても良い。また、商品関連情報と合わせて、後述するクーポン情報の事前印刷を行うようにしても良い。
【００７２】
〔上記第一の実施形態の変形例５〕
上記第一の実施形態では、クーポン情報を店舗に設置されたラベルプリンタ１で印字することとしたが、例えば、図１２（ａ）に示されるラベルＬのように、クーポン情報にクーポン対象商品の写真Ｆを挿入して顧客にわかり易く表示する等、店舗に設置されたラベルプリンタでは対応が困難なデザインを採用する場合には、使用可能期間の異なる複数のクーポン情報をラベル用紙に事前印刷しておくようにしても良い。その他、各クーポン情報を色違いに表示して、複数のクーポン情報を区別し易くするような場合にも事前印刷を採用することができる。なお、複数のクーポン情報は、そのすべてをラベル用紙に事前印刷しておく必要はない。例えば、図１２（ｂ）に示されるように、各クーポン情報における一部の情報（例えば、商品の品名、メーカー、値引額、商品写真）を事前印刷しておき、残りの情報（例えば、使用可能期間、正価、バーコード）をラベル発行時に、その店舗における事情に合わせた内容で追加印字するようにしても良い。さらに、図１２（ｃ）に示されるように、複数のクーポン情報のうち、一部のクーポン情報についてのみ事前印刷するようにしても良い。
【００７３】
〔上記第一の実施形態の変形例６〕
上記第一の実施形態では、使用可能日が異なる複数のクーポン情報（販売日当日に限り使用できる第一クーポン情報Ｃ１と販売日の翌日より３日間に使用できる第二クーポン情報Ｃ２）を組み合わせて１枚のラベルＬに付加することとしたが、使用可能な時間帯が異なる複数のクーポン情報を組み合わせるようにしても良い。例えば、図１３（ａ）に示されるように、販売日当日（買い物当日）に使用可能な第一クーポン情報Ｃ１については、使用可能となる時間帯を特定せずに利用させる一方、翌日以降にのみ使用可能にして再来店を促すための第二クーポン情報Ｃ２については、顧客の少ない時間帯（例えば、午前中）に限って使用可能とすることが考えられる。また、使用可能日は同一で、使用時間帯のみが異なる複数のクーポン情報を組み合わせるようにしても良い。例えば、図１３（ｂ）に示されるように、使用可能時間帯が午前９時〜午前１１時迄である第一クーポン情報Ｃ１と、午後１時〜午後３時迄である第二クーポン情報Ｃ２とを組み合わせるようにしても良い。
【００７４】
〔上記第一の実施形態の変形例７〕
上記第一の実施形態では、顧客が購入する商品（ラベル貼付対象商品）に応じて付加するクーポン情報を決定したが、顧客が購入する商品の価格（金額）に応じてラベルに付加するクーポン情報の優待条件を決定するようにしても良い。例えば、図１４のフローチャートに示されるように、ラベル用紙に印字する商品関連情報の読出、表示（ステップｂ１〜ｂ２）、商品重量の計量、価格計算、重量・価格の表示、金額の確定（ステップｂ３〜ｂ６）を終了した後で、確定した価格からクーポン情報を付加するか否かを決定し（ステップｂ７）、付加する場合には、その金額に応じたクーポン情報の読出、表示を行い（ステップｂ８〜ｂ９）、クーポン付きラベルを印字発行する（ステップｂ１０）という手順で処理することが考えられる。買上金額に応じて優待内容を有利なものとすれば、顧客の満足度を向上させることができ、特に、買い物日の翌日以降に使用可能な第二クーポン情報について有利なものとすれば、リピート率の向上を図りたい店舗側を満足させることもできるものである。なお、上記のほか、例えば、顧客の商品購入履歴に応じて決定することとしても良いし、すべての商品について同じ内容としても良く、あるいは、多数準備されたクーポン情報の中から顧客に希望するものを自由に選択させるようにしても良く、顧客の購入商品や購入金額によって決定することに限定するものではない。
【００７５】
〔上記第一の実施形態のその他の変形例〕
上記第一の実施形態では、１つのラベルに表示するクーポン情報は、第一クーポン情報と第二クーポン情報の２つとしたが、３つ以上のクーポン情報を組み合わせて表示しても良い。また、第一クーポン情報と第二クーポン情報とは、優待内容（値引額）が相互に異なっていたが、優待内容は同一であっても良い。さらに、第一クーポン情報と第二クーポン情報の適用対象商品は、同一商品に設定されていたが、異なる商品に適用されるクーポン情報どうしを組み合わせても良い。
【００７６】
上記第一の実施形態では、販売日（買い物当日）に使用可能なクーポン情報と、販売日の翌日以降に使用可能なクーポン情報とを発行したクーポン付きラベルを発行することとしたが、このような組み合わせに限らず、例えば、大売出し日とそれ以外の日にそれぞれ使用可能なクーポン情報を組み合わせて、大売出し日に買い物に行けない顧客と、大売出し日に数多くの顧客の来店を促したい店舗側の両方の要望を満足させるようにしても良いし、平日と休日にそれぞれ使用可能なクーポン情報を組み合わせて、休日しか買い物に行けない顧客と、平日の来客数を増やしたい店舗側の両方の要望を満足させるようにしても良い。
【００７７】
上記第一の実施形態では、第一クーポン情報Ｃ１と第二クーポン情報Ｃ２の使用可能期間を相互に重複しない「販売日当日」と「販売日の翌日以降」に設定したが、例えば、使用可能期間が発行日から３日以内であるクーポン情報と、使用可能期間が発行日から１月以内であるクーポン情報とを組み合わせるようにしても良い。また、３つ以上のクーポン情報が表示されるクーポン付きラベルにおいて、すべてのクーポン情報の使用可能期間が相互に異なっている必要はなく、一部のクーポン情報の使用可能期間が同一となる場合を含めるようにしても良い。例えば、買い物当日に使用可能なクーポン情報を１つだけ表示する一方、その翌日以降の３日間に使用可能なクーポン情報を複数個表示して、顧客が再来店する可能性をより一層高めるようにしても良い。
【００７８】
上記第一の実施形態では、ラベルＬは、接着面を有する貼付部Ｌ１に商品関連情報を表示させ、接着面を有しない非貼付部Ｌ２に使用可能期間の異なる複数のクーポン情報を表示させたが、非貼付部Ｌ２が捲れあがってクーポン情報が見えにくくなったり、非貼付部Ｌ２が商品から離脱したりする等の不都合を防止するため、ラベル用紙の裏面全体に接着面を形成するようにしても良い。また、ラベル用紙の裏面全体に接着面を形成する場合でも、クーポン情報の表示部分の裏面の接着力を弱くして、切り離しのし易さと捲れ上がり等の防止を両立させるようにしても良く、クーポン情報の表示部分の裏面にのみ剥離紙を付けておき、剥離紙を取って商品に接着させるか、剥離紙を残して接着させないようにするかを、各店舗で選択できるようにしても良い。
【００７９】
〔本発明の第二の実施形態〕
図１５は、本発明の第二の実施形態に係るレジスター２を示す。レジスター２は、スーパーマーケット等において顧客が売場から持ってきた買上商品の包装や商品ラベルに表示されるバーコード情報を読み取って、商品マスターテーブルＴ７（図１７）から各商品の品名、価格等の商品関連情報を読み出し、買上商品の合計金額を精算する。レジスター２は、クーポン発行装置としての機能を備えており、クーポン情報テーブルＴ８（図１８）からクーポン情報を読み出す。そして、店舗名、連絡先、日付、各買上商品の品名・価格、合計金額、精算時の預り金額、お釣等の精算関連情報、及び使用可能期間が異なる複数のクーポン情報が表示されているクーポンカード一体型のレシートＲ（図２０参照）を発行する。レジスター２は、箱状の本体部２１と、本体部２１の上面手前側に設けられる操作部２２と、本体部２１とは別体に形成され商品ラベルを読み取る読取部２３と、本体部２１の上面後側に設けられる表示部２４とレシート発行部２５と、を有してなる。
【００８０】
操作部２２は、例えば、同じ買上商品が複数個ある場合にその個数を入力したり、バーコードを表示することができない生鮮食品等の買上商品について入力したり、すべての商品について読取りした後に押して合計金額を確定するために、オペレーターが操作するキーを備える。読取部２３は、バーコードリーダーであって、買上商品を特定するために各商品に表示されるバーコードを読み取ることができる。表示部２４は、液晶表示パネルで構成されており、バーコードを読取られた商品の品名と価格その他の情報をオペレーター及び顧客が確認できるように表示する。レシート発行部２５は、表面に商品代金の精算関連情報が表示され、裏面に使用可能期間の異なる複数のクーポン情報が表示されるクーポンカード一体型のレシートＲを印字して、本体部２１の前面に開口するレシート発行口２５ａから発行する。
【００８１】
レジスター２は、操作部２２、読取部２３、表示部２４、レシート発行部２５のほか、図１６に示されるように、上記各部と接続される制御部２６を有している。制御部２６は、ＲＡＭ（読取り書込み記憶装置）２６ａ、ＣＰＵ（中央演算処理装置）２６ｂ、ＲＯＭ（読取り専用記憶装置）２６ｃ、カレンダー時計２６ｄを備えており、商品マスターテーブルＴ７、及びクーポン情報テーブルＴ８を記憶している。カレンダー時計２６ｄは、レシートＲに表示される精算関連情報や複数のクーポン情報のうち、日付に関する情報（レシート発行日時、クーポンの使用可能期間の起算日等）を決定するために利用される。なお、この実施形態では、クーポン情報の使用可能期間の算定基準日がレシート発行日に設定されている。
【００８２】
図１７の商品マスターテーブルＴ７には、商品番号ごとに、商品の品名、価格、バーコード情報等の商品関連情報、及び、レシートＲに精算関連情報とともに印字される複数のクーポン情報（第一クーポン情報Ｃ１及び第二クーポン情報Ｃ２）に対応するクーポン番号が格納されている。また、図１８のクーポン情報テーブルＴ８には、各クーポン番号に対応して、第一クーポン情報Ｃ１及び第二クーポン情報Ｃ２の内容、例えば各クーポン情報が適用される商品の品名、メーカー、値引額、使用可能期間、正価、バーコード情報（不図示）等が格納されている。なお、クーポン情報にバーコード情報を含めたのは、クーポンカード使用時に、バーコードリーダーによる読み取りでクーポン情報の内容を確認して、間違った条件（品名、メーカー、値引額、使用可能期間）でクーポン情報を使用させることを防止するためである。
【００８３】
ところで、本実施形態では、複数商品を購入した場合において、購入商品に対応して格納されるすべてのクーポン情報がレシートＲに印字されるわけではなく、店舗側で予め設定した優先度が最も高いクーポン情報のみを印字することとしている。クーポン情報テーブルＴ８では、優先順位付けのため、優先度が高いクーポン情報から順に小さいクーポン番号が付けられている。ここでは、クーポン番号「００１」の「すき焼き用たれ」の優先度が最も高く、クーポン番号「９９９」の「牛乳」の優先度が最も低く設定されており、この２つのクーポン情報が競合した場合は、優先度が高い「すき焼き用たれ」のクーポン情報が印字される。
【００８４】
各クーポン情報に含まれる第一クーポン情報Ｃ１と第二クーポン情報Ｃ２は、クーポンの適用対象となる商品が共通であるが、使用可能期間と値引額が相互に異なるように設定されている。例えば、図１８において、クーポン番号「００１」のクーポン情報の場合、使用可能期間がその基準日であるレシート発行日の「当日限り１日間」で、値引額が「３０円」の第一クーポン情報Ｃ１と、使用可能期間がレシート発行日の「翌日より３日間」で、値引額が「６０円」の第二クーポン情報Ｃ２と、を組み合わせることにより構成されている。なお、使用可能期間と値引額のほか、バーコード情報についても、第一クーポン情報Ｃ１と第二クーポン情報Ｃ２を取り違えて適用することがないように、両者間で異なるものが表示されている。
【００８５】
上記のように構成されるレジスターにおける処理の手順を、図１９に示されるフローチャートに従って説明する。処理開始時点では、レシートＲに印字されるクーポン情報のクーポン番号（ｉ）は、最も優先度が低い「９９９（牛乳）」に設定される（ステップｃ１）。オペレーター（レジ担当者）が、操作部２２に設けられるキーを操作したり、読取部２３で各買上商品に表示されるバーコード情報を読み取らせたりすると、商品マスターテーブルＴ７から各買上商品に対応する商品関連情報やクーポン番号の読出が行われる（ステップｃ２）。これによって、品名や価格の情報に基づいて買上商品の精算処理（フローチャートへの記載省略）が行われるほか、以下のようにして、印字するクーポン情報を決定する処理が行われる。
【００８６】
まず、商品マスターテーブルＴ７から読み出されたクーポン番号（ｊ）が、初期設定されたクーポン番号（ｉ）よりも小さいかどうか判断され（ステップｃ３）、小さいと判定された場合には、読み出されたクーポン番号（ｊ）の方が初期設定されたクーポン番号（ｉ）よりも優先度が高いとして、クーポン番号（ｉ）を書き換える（ステップｃ４）。例えば、買上商品が「シリアル」、「レタス」、「すき焼き用牛肉」である場合、図１７の商品マスターテーブルＴ７に示されるように、クーポン番号が「９９９」「３５０」「００１」であるから、すべての商品についてバーコード情報の読取を終了した時点では、クーポン番号（ｉ）は最も小さい「００１」に書き換えられることになる。金額確定キーを押すことにより、精算関連情報及びクーポン番号（ｉ）が確定する（ステップｃ５）。さらに、クーポン情報テーブルＴ８から、クーポン番号（ｉ）に応じたクーポン情報が読出され（ステップｃ６）、読出されたクーポン情報を裏面に印字したクーポンカード一体型のレシートＲが発行される（ステップｃ７）。上記具体例の場合、クーポン番号「００１」に対応する「すき焼き用たれ」のクーポン情報が印字される。
【００８７】
発行されたレシートＲは、図２０（ａ）に示されるように、表面に精算関連情報が表示され、図２０（ｂ）に示されるように、裏面に使用可能期間の異なる複数クーポン情報が上下に並べられた状態で表示される。また、レシートＲの表面には、精算関連情報とは別に、「クーポン情報が裏面に印字されている」旨の注意書きＮ２が表示される。なお、レシートＲの裏面に複数のクーポン情報のすべてが洩れなく表示されるようにするため、複数のクーポン情報の印字に要する上下寸法Ｙｃは、レシートＲの上下寸法Ｙｒの最小値よりも小さく設定されている。
【００８８】
〔上記第二の実施形態に係るレジスター及びクーポンカード一体型レシートの特徴点〕
上記第二の実施形態に係るレジスター２及びクーポンカード一体型のレシートＲは、以下のような特徴点を有している。
【００８９】
第一に、買上商品のレシートを発行するレジスター２が、使用可能期間が異なる複数のクーポンを同時発行できるクーポン発行装置を備え、クーポンカードをレシートと同時発行するので、自分に適したタイミングで使えるクーポンを希望する顧客と、リピート率を向上させたい店舗側の両方の要望を満足させることができるという特徴点を有している。
【００９０】
第二に、レシート発行日（買い物当日）に使用可能な第一クーポン情報Ｃ１と、レシート発行日の翌日以降にのみ使用可能な第二クーポン情報Ｃ２を組み合わせるようにしたので、入手したクーポンカードをすぐに使いたい顧客と、再来店を促進してリピート率を向上させたい店舗側の両方の要望を満足させることができるという特徴点を有している。
【００９１】
第三に、同一商品について、買い物当日に使用可能な第一クーポン情報Ｃ１の値引額（３０円）よりも、翌日以降に使用できる第二クーポン情報Ｃ２の値引額（６０円）を大きくしたので、クーポン対象商品の購入を翌日以降に持ち越させて、顧客が再来店するように仕向けることができるという特徴点を有している。
【００９２】
第四に、クーポン情報を店舗で印字するので、顧客の再来店状況、クーポンカードの利用状況、クーポンサービスに対する評判等の事情に応じて、例えば、第一クーポン情報Ｃ１と第二クーポン情報Ｃ２の値引額の差や値引対象商品を変える等、クーポン情報の組み合わせや内容を自在に変更でき、その結果、クーポンカード用紙、すなわちレシート用紙を無駄なく使い切ることができるという特徴点を有している。
【００９３】
第五に、クーポンカードをレシートと一体に形成したので、クーポンカードを印字するための専用紙やプリンタを別途に準備する必要がない、クーポンカードの渡し忘れを防止できる、レシートのポイ捨てが防止される、という特徴点を有している。特に、同じレシート用紙の表面及び裏面に精算関連情報とクーポン情報を表示するので、これらを同じ面に表示する場合に比べてレシート用紙の使用量が少なく済むという特徴点も有している。
【００９４】
第六に、第一クーポン情報Ｃ１と第二クーポン情報Ｃ２（複数のクーポン情報）に相互に異なるバーコード情報を含ませたので、レジスター２の読取部２３による読取で内容を確認することにより、各クーポン情報を取り違えたり、使用可能期間以外のクーポン情報を適用したりする等の誤りを防止することができるという特徴点を有している。
【００９５】
第七に、商品マスターテーブルＴ７及びクーポン情報テーブルＴ８から、クーポンカード（レシートＲ）に表示するクーポン情報の組み合わせがワンパターンに決定されるので、クーポン情報を表示することについて、オペレーターに何ら負担が課されることがないという特徴点を有している。
【００９６】
〔上記第二の実施形態の変形例１〕
上記第一の実施形態では、店舗側が予め設定した優先度に基づいて、表示するクーポン情報を決定したが、これに限らず、顧客の購入履歴に基づいて、事前登録されたクーポン発行予定商品の中から顧客の購入回数が多い商品を選択して、クーポン情報の対象としても良い。
【００９７】
その具体例として、第一クーポン情報Ｃ１を上記実施形態と同様に店舗側が予め設定した優先度に基づいて決定し、第二クーポン情報Ｃ２を顧客の購入履歴に基づいて決定する場合のシステム構成及び処理手順を説明する。かかる場合に必要なシステムは、図２１に示されるように、レジスター２に、顧客カードＫから顧客を特定するカードＩＤ番号を読み取るカードリーダー３を設けるとともに、通信回線Ｗを介して各顧客の購入履歴情報を読出可能に格納するストアコントローラー４を接続することで構成される。ストアコントローラー４には、カードＩＤ番号ごとに購入履歴情報を含む個人情報を格納する顧客カード情報テーブルＴ９（図２２）が記憶されている。購入履歴情報としては、顧客の購入商品の中で購入回数が多い上位１０品目の商品番号がＧ１〜Ｇ１０として格納されている。また、第一クーポン情報テーブルＴ１０は、上記実施形態のクーポン情報テーブルＴ８と同様にレジスター２に記憶され、第二クーポン情報テーブルＴ１１は、ストアコントローラー４に記憶されており、これに含まれる各クーポン情報には、図２３に示されるようにクーポン対象商品の商品番号が記憶されている。
【００９８】
上記システムによる処理の手順を、図２４に示されるフローチャートに従って説明する。オペレーター（レジ担当者）が、商品代金の精算をするためにレジに来た顧客から顧客カードＫを預かってカードリーダー３に挿入することにより、カードＩＤ番号の読取が行われ（ステップｄ１）、処理を開始する。レジスター２はカードＩＤ番号をストアコントローラー４に送信して、第二クーポン情報Ｃ２を照会する（ステップｄ２）とともに、自らは店舗側で予め設定した優先順位に基づいて第一クーポン情報Ｃ１を決定する処理を行う（ステップｄ３〜ｄ８）。第一クーポン情報を決定する処理は、上記実施形態におけるクーポン情報決定処理と基本的に同じであるため、説明を省略する。
【００９９】
ストアコントローラー４は、レジスター２からの照会に応じて処理を開始し（ステップｅ１）、受信したカードＩＤ番号に対応する顧客カード情報を読出して（ステップｅ２）、それに含まれる購入履歴情報をもとに、第二クーポン情報テーブルＴ１１に登録されるクーポン発行予定商品の中から顧客の購入回数が多い商品を選択して、そのクーポン情報を読出する。具体的には、購入回数の多い商品Ｇｍの各商品番号について、購入回数の最も多い商品Ｇ１からＧ１０まで順に、第二クーポン情報テーブルＴ１１に登録されるすべての商品番号Ｋｎと照合する（ステップｅ３〜ｅ８）。そこで一致するものが有る場合には、該当する第二クーポン情報を読出し（ステップｅ９）、一致するものが無い場合には、その次に購入回数の多い商品Ｇ２に切り替えて（ステップｅ１０）、一致するものが見つかるまで同様の照合を繰り返す。なお、購入回数の多い商品Ｇ１〜Ｇ１０のすべてについて、クーポン発行予定商品と一致するものが無い場合は、店舗側が予め決定したクーポン情報を読出する（ステップｅ１１)。
【０１００】
ストアコントローラー４は、読出した第二クーポン情報Ｃ２をレジスター２に送信する（ステップｅ１２）。レジスター２は、これを受信して（ステップｄ９）、第一クーポン情報と合わせて印字するクーポン情報を作成し（ステップｄ１０）、使用可能期間の異なる複数のクーポン情報を印字したレシートＲ、すなわちクーポンカードを発行する（ステップｄ１１）。レジスター２は、当日の顧客購入商品に関する情報をストアコントローラー４に送信し（ステップｄ１２）、ストアコントローラー４では、これを受信して（ステップｅ１３）、購入履歴情報の更新を行う（ステップｅ１４）。
【０１０１】
購入回数が多い商品を、翌日以降にのみ使用できる第二クーポン情報Ｃ２の対象商品とすることで、顧客が翌日以降に再来店する可能性を高めることができる。なお、本変形例では、第一クーポン情報Ｃ１を店舗側で設定した優先順位に基づいて決定したが、第二クーポン情報Ｃ２と同様に、クーポン発行予定商品の中で購入回数が多い商品の中から選択しても良い。例えば、第二クーポン情報Ｃ２については、クーポン発行予定商品の中で最も購入履歴の多い商品を選択し、第一クーポン情報Ｃ１については、クーポン発行予定商品の中で二番目に購入履歴の多い商品を選択することが考えられる。
【０１０２】
〔上記第二の実施形態のその他の変形例〕
上記第二の実施形態では、精算関連情報と複数のクーポン情報とを、レシートＲの表面と裏面に分けて表示したが、同じ面に表示しても良く、複数のクーポン情報の一部を精算関連情報とともに表面に表示し、残りのクーポン情報を裏面に表示しても良い。また、これらの情報を別々の用紙に表示して、レシートとクーポンカードを別体としても良い。さらに、クーポンカードは１枚にまとめる必要は無く、クーポン情報ごとに用紙を分けても良い。なお、レシートとクーポンカードを別体とする場合においては、クーポンカードをレジスター２から発行する必要はなく、レジスター２にクーポン発行装置を接続し、そこから発行させるようにしても良い。
【０１０３】
上記第二の実施形態では、１枚のクーポンカードに２つのクーポン情報を表示したが、３つ以上のクーポン情報を表示しても良い。また、各クーポン情報は、優待内容（値引額）が同一であっても良く、異なる商品に適用するものであっても良い。
【０１０４】
上記第二の実施形態では、クーポン情報を店舗に設置されるレジスター２で印字したが、レシート用紙の裏面に事前印刷しても良い。その場合、各クーポン情報に「このレシート発行日当日に限り有効」、「このレシート発行日の翌日から３日間有効」等を表示することで対応するとしても良い。
【０１０５】
上記第二の実施形態では、複数のクーポン情報は、「買い物当日」と「翌日以降」に使用可能なものを組み合わせたが、これに限らず、例えば、「大売出し日」と「それ以外の日」に使用可能なものを組み合わせたり、「平日」と「休日」に使用可能なものを組み合わせたりしても良い。また、複数のクーポン情報は、使用可能期間の一部を重複させても良く、３つ以上のクーポン情報が表示する場合は、一部のクーポン情報どうしで使用可能期間が同一としても良い。
【０１０６】
上記第二の実施形態では、使用可能日が異なる複数のクーポン情報を表示したが、買い物当日に使用可能なクーポン情報は時間帯を特定せずに、翌日以降にのみ使用可能なクーポン情報は、顧客の少ない時間帯にのみ使用可能とする等、使用可能な時間帯を特定しても良い。また、使用可能日は同一で、使用時間帯のみが異なる複数のクーポン情報を組み合わせても良い。
【０１０７】
上記第二の実施形態では、店舗側で設定した優先度や顧客の購入履歴に応じて、発行するクーポン情報を決定したが、購入金額に応じて決定しても良い。あるいは、すべての顧客に対して同じクーポン情報を採用しても良いし、複数あるクーポン情報の中から無作為に選択したり、顧客に選択させたりしても良い。
【０１０８】
〔本発明の第三の実施形態〕
図２５は、本発明の第三の実施形態に係るクーポン発行装置５を示す。クーポン発行装置５は、スーパーマーケット等の店舗内に設置されており、顧客が自らの来店を機械登録すると、それに応じて使用可能期間が異なる複数のクーポン情報Ｃ１，Ｃ２が表示されたクーポンカードＣを印字発行する。顧客が来店を機械登録する手段としては、携帯する顧客を特定するカードＩＤ番号を記憶した顧客カードＫを利用する。クーポン発行装置５は、箱状の本体部５１に、顧客カードを読取する読取部５２、クーポンカードを発行する発行口５３ａを備える発行部５３、顧客への操作手順の指示等をする表示部５４、及び必要に応じて顧客が入力操作するための操作部５５を備えてなり、カードＩＤ番号ごとに顧客の購入履歴情報等を格納する顧客カード情報テーブルと、クーポンカードに印字するクーポン情報を格納するクーポン情報テーブルと、を記憶したストアコントローラー６に通信回線Ｗで接続されてクーポン発行システムを形成する。
【０１０９】
クーポン情報テーブルは、一枚のクーポンカードに複数のクーポン情報を印字する処理をスムーズに行えるように、使用可能期間の異なる第一クーポン情報Ｃ１と第二クーポン情報Ｃ２（複数のクーポン情報）を予め組み合わせて格納しており、各クーポン情報は、クーポンが適用される商品の品名、メーカー、値引額、使用可能期間、正価、バーコード情報等が含まれる。ここで、各クーポン情報の有効期間は、第一クーポン情報Ｃ１が発行日（来店当日）限り、第二クーポン情報Ｃ２が発行日の翌日以降の所定期間内とされている。また、クーポン情報の優待内容は、第一クーポン情報Ｃ１と第二クーポン情報Ｃ２とで相互に異なっており、具体的には、同一商品について、第一クーポン情報による値引額よりも第二クーポン情報による値引額を大きく設定している。さらに、第一クーポン情報Ｃ１と第二クーポン情報Ｃ２では含まれるバーコード情報が異なっており、クーポンカード使用時にバーコードリーダーによる読み取ることで、間違ったクーポン情報の使用を防止するようになっている。
【０１１０】
クーポン発行装置５で来店を機械登録した顧客に対して、使用可能期間の異なるクーポン情報が表示されたクーポンカードを発行する際の処理手順を、図２６に示されるフローチャートを参照しつつ説明する。クーポン発行装置５の表示部５４には、待機中、読取部５２に設けられるカード挿入口５２ａに顧客カードを挿入するように促すメッセージが表示されている。顧客が顧客カードＫを挿入すると、読取部５２でカードＩＤ番号を読取し（ステップｆ１）、読取したカードＩＤ番号に基づいて、当該顧客に対して発行するクーポンカードに印字すべきクーポン情報をストアコントローラー６に照会する（ステップｆ２）。
【０１１１】
ストアコントローラー６では、クーポン発行装置５からの照会を受けて（ステップｇ１）、顧客情報テーブルから顧客カード情報を読出して（ステップｇ２）、顧客カード情報に含まれる購入履歴に応じて複数のクーポン情報を決定し（ステップｇ３）、クーポン発行装置５に送信する（ステップｇ４）。クーポン発行装置５は、受信した複数のクーポン情報を印字したクーポンカードＣを発行口５３ａから発行する（ステップｆ３〜ｆ４）。
【０１１２】
〔上記第二の実施形態に係るクーポン発行装置及びクーポンカードの特徴点〕
上記第三の実施形態に係るクーポン発行装置５及びクーポンカードＣは、以下のような特徴点を有している。
【０１１３】
第一に、使用可能期間が異なる複数のクーポン情報を表示したクーポンカードＣを発行するので、自分に適したタイミングで使えるクーポンを希望する顧客と、リピート率を向上させたい店舗側の両方の要望を満足させることができるという特徴点を有している。
【０１１４】
第二に、発行日（来店当日）に使用可能な第一クーポン情報Ｃ１と、発行日の翌日以降にのみ使用可能な第二クーポン情報Ｃ２を組み合わせるので、クーポンをすぐに使いたい顧客と、再来店を促進したい店舗側の要望を満足させられるという特徴点を有している。
【０１１５】
第三に、同一商品について、来店当日に使用可能な第一クーポン情報Ｃ１よりも、翌日以降に使用可能な第二クーポン情報Ｃ２の値引額を大きくして、クーポン対象商品の購入を翌日以降に持ち越させ、顧客の再来店を図ることができるという特徴点を有している。
【０１１６】
第四に、クーポン情報を店舗で印字するので、諸々の事情に応じて、第一クーポン情報Ｃ１と第二クーポン情報Ｃ２で値引額や値引対象商品を変える等、クーポン情報の内容を自在に変更可能で、クーポンカード用紙を無駄なく使えるという特徴点を有している。
【０１１７】
第五に、来店を機械登録した顧客に対してのみクーポンカードＣを発行するので、クーポンが要らない顧客に対してクーポンカードＣを発行する無駄をなくすことができるという特徴点を有している。
【０１１８】
第六に、第一クーポン情報Ｃ１と第二クーポン情報Ｃ２に相互に異なるバーコード情報を含ませたので、クーポンカード使用時にバーコードリーダーで読み取らせて間違ったクーポン情報の使用を防止できるという特徴点を有している。
【０１１９】
〔上記第三の実施形態の変形例〕
上記第三の実施形態では、クーポンカードＣに印字するクーポン情報をストアコントローラー６で決定したが、例えば、図２７のフローチャートに示されるように、ストアコントローラーで、印字するクーポン情報を複数候補選出して、クーポン発行装置に送信し、クーポン発行装置で候補を表示し、顧客に選択させるようにしても良い。顧客にクーポン情報を選択させることにより、使いたいクーポン情報が欲しい顧客と、顧客に対して再来店の動機付けを図りたい店舗側の両方の要望を満足させることができる。
【０１２０】
上記第三の実施形態では、クーポンカードＣを発行したが、これに代えて、顧客カードＫに使用可能期間の異なる複数のクーポン情報を記録できるようにして、これをクーポンカードとして使用させるようにしても良い。なお、発行したクーポン情報の控を印字発行するようにしても良い。これにより、顧客は、使用可能期間を過ぎたクーポンカードを整理する煩わしさや、買い物時にクーポンカードを忘れる心配が無くなる。クーポン発行装置５に使用可能期間を過ぎたクーポン情報を消去したり、使用可能期間内のクーポン情報を表示したりする機能を設けても良い。なお、クーポン情報を、顧客カードＫ自体に記録せず、ストアコントローラーに記憶させ、レジスターから照会できるようにしても良い。
【０１２１】
その他、上記第三の実施形態に係るクーポンカードＣは、クーポン情報ごとに異なる用紙に印字したり、各クーポン情報の優待内容を同一にしたり、使用時間帯のみが異なる複数のクーポン情報を組み合わせたりしても良い。また、発行するクーポン情報はすべての顧客に対して同じ内容としても良い。
【図面の簡単な説明】
【０１２２】
【図１】本発明の第一の実施形態に係るラベルプリンタ。
【図２】本発明の第一の実施形態に係るラベルプリンタの構成ブロック図。
【図３】本発明の第一の実施形態に係るラベルプリンタに記憶される商品マスターテーブル。
【図４】本発明の第一の実施形態に係るラベルプリンタに記憶されるクーポン情報テーブル。
【図５】本発明の第一の実施形態に係るクーポン付きラベル。
【図６】本発明の第一の実施形態に係るラベルプリンタによる処理を示すフローチャート。
【図７】本発明の第一の実施形態の変形例１に係る商品マスターテーブル。
【図８】本発明の第一の実施形態の変形例１に係るクーポン情報テーブル。
【図９】本発明の第一の実施形態の変形例２に係るクーポン情報テーブル。
【図１０】本発明の第一の実施形態の変形例３に係るクーポン付きラベル。
【図１１】本発明の第一の実施形態の変形例４に係るクーポン付きラベル及びラベル用紙。
【図１２】本発明の第一の実施形態の変形例５に係るクーポン付きラベル及びラベル用紙。
【図１３】本発明の第一の実施形態の変形例６に係るクーポン付きラベル。
【図１４】本発明の第一の実施形態の変形例７に係るラベルプリンタによる処理を示すフローチャート。
【図１５】本発明の第二の実施形態に係るレジスター。
【図１６】本発明の第二の実施形態に係るレジスターの構成ブロック図。
【図１７】本発明の第二の実施形態に係るレジスターに記憶される商品マスターテーブル。
【図１８】本発明の第二の実施形態に係るレジスターに記憶されるクーポン情報テーブル。
【図１９】本発明の第二の実施形態に係るレジスターによる処理を示すフローチャート。
【図２０】本発明の第二の実施形態に係るクーポンカード一体型のレシート。
【図２１】本発明の第二の実施形態の変形例１のシステム構成。
【図２２】本発明の第二の実施形態の変形例１に係る顧客カード情報テーブル。
【図２３】本発明の第二の実施形態の変形例１に係るクーポン情報テーブル。
【図２４】本発明の第二の実施形態の変形例１における処理を示すフローチャート。
【図２５】本発明の第三の実施形態のシステム構成。
【図２６】本発明の第三の実施形態における処理を示すフローチャート。
【図２７】本発明の第三の実施形態の変形例における処理を示すフローチャート。
【符号の説明】
【０１２３】
１    ラベルプリンタ
２    レジスター
３    カードリーダー
４    ストアコントローラー
５    クーポン発行装置
６    ストアコントローラー
Ｃ    クーポンカード
Ｃ１    第一クーポン情報
Ｃ２    第二クーポン情報
ＣＬ１    切取予定線
ＣＬ２    切取予定線
Ｋ    顧客カード
Ｌ１    貼付部
Ｌ２    非貼付部
Ｒ    レシート
【図１】
2006244021.tif 000003
【図２】
2006244021.tif 000004
【図３】
2006244021.tif 000005
【図４】
2006244021.tif 000006
【図５】
2006244021.tif 000007
【図６】
2006244021.tif 000008
【図７】
2006244021.tif 000009
【図８】
2006244021.tif 000010
【図９】
2006244021.tif 000011
【図１０】
2006244021.tif 000012
【図１１】
2006244021.tif 000013
【図１２】
2006244021.tif 000014
【図１３】
2006244021.tif 000015
【図１４】
2006244021.tif 000016
【図１５】
2006244021.tif 000017
【図１６】
2006244021.tif 000018
【図１７】
2006244021.tif 000019
【図１８】
2006244021.tif 000020
【図１９】
2006244021.tif 000021
【図２０】
2006244021.tif 000022
【図２１】
2006244021.tif 000023
【図２２】
2006244021.tif 000024
【図２３】
2006244021.tif 000025
【図２４】
2006244021.tif 000026
【図２５】
2006244021.tif 000027
【図２６】
2006244021.tif 000028
【図２７】
2006244021.tif 000029